(57)【要約】【課題】  信頼性の高いアンケートを行うためのディレクトリ構造を編集できるディレクトリの階層構造の編集を支援するプログラム、ディレクトリ編集支援方法及びディレクトリ編集支援装置を提供する。【解決手段】  メタデータ収集部１６が、メタデータが設定された既存のディレクトリからメタデータを収集し、収集されたメタデータに基づいてディレクトリ編集部１８が生成したディレクトリの階層構造の任意の位置に、フィードバックポイント生成部３４が、アンケート情報が割り付けられたフィードバック用ディレクトリを生成する。また、レイアウト情報生成部２０が表示上のレイアウトを決めるレイアウト情報を生成する。これらのディレクトリの階層構造、フィードバック用ディレクトリに係る情報及びレイアウト情報は、通信部２２がネットワーク１０を介してユーザのクライアントＰＣ１４に配信する。【選択図】        図１
2006092236.tif 000002
【特許請求の範囲】
【請求項１】
コンピュータを、ディレクトリの階層構造の編集を支援するディレクトリ編集支援装置として動作させるプログラムであって、
メタデータが設定された既存のディレクトリからメタデータを収集し、
前記収集されたメタデータに基づき、ディレクトリの階層構造を生成し、
前記生成したディレクトリの階層構造中の任意の位置に、アンケート情報が割り付けられたフィードバック用ディレクトリを生成し、
前記収集されたメタデータ及び前記生成したフィードバック用ディレクトリの配置情報に基づき、表示上のレイアウトを決めるレイアウト情報を生成し、
前記ディレクトリの階層構造と前記フィードバック用ディレクトリに係る情報と前記レイアウト情報とをユーザのサーバに配信する処理をコンピュータに実行させることを特徴とするプログラム。
【請求項２】
請求項１記載のプログラムにおいて、前記フィードバック用ディレクトリに割り付けられたアンケートに対する回答のログを生成する処理をコンピュータに実行させることを特徴とするプログラム。
【請求項３】
コンピュータにより、ディレクトリの階層構造の編集を支援するディレクトリ編集支援方法であって、
メタデータが設定された既存のディレクトリからメタデータを収集するステップと、
前記収集されたメタデータに基づき、ディレクトリの階層構造を生成するステップと、
前記生成したディレクトリの階層構造中の任意の位置に、アンケート情報が割り付けられたフィードバック用ディレクトリを生成するステップと、
前記収集されたメタデータ及び前記生成したフィードバック用ディレクトリの配置情報に基づき、表示上のレイアウトを決めるレイアウト情報を生成するステップと、
前記ディレクトリの階層構造と前記フィードバック用ディレクトリに係る情報と前記レイアウト情報とをユーザのサーバに配信するステップと、
を備えることを特徴とするディレクトリ編集支援方法。
【請求項４】
ディレクトリの階層構造の編集を支援するディレクトリ編集支援装置であって、
メタデータが設定された既存のディレクトリからメタデータを収集するメタデータ収集手段と、
前記収集されたメタデータに基づき、ディレクトリの階層構造を生成するディレクトリ編集手段と、
前記ディレクトリ編集手段が生成したディレクトリの階層構造中の任意の位置に、アンケート情報が割り付けられたフィードバック用ディレクトリを生成するフィードバック用ディレクトリ生成手段と、
前記収集されたメタデータ及び前記フィードバック用ディレクトリ生成手段が生成したフィードバック用ディレクトリの配置情報に基づき、表示上のレイアウトを決めるレイアウト情報を生成するレイアウト情報生成手段と、
前記ディレクトリ編集手段が生成したディレクトリの階層構造と前記フィードバック用ディレクトリ生成手段が生成したフィードバック用ディレクトリに係る情報と前記レイアウト情報生成手段が生成したレイアウト情報とをユーザのサーバに配信する配信手段と、
を備えることを特徴とするディレクトリ編集支援装置。
【発明の詳細な説明】
【技術分野】
【０００１】
本発明は、文書情報等を階層的に分類、管理するためのディレクトリの階層構造の編集を支援するプログラム、ディレクトリ編集支援方法及びディレクトリ編集支援装置に関する。
【背景技術】
【０００２】
従来より、文書情報その他の情報を階層的に分類、管理するために、階層構造が設定されたディレクトリが使用されていた。このディレクトリの階層構造は、例えばＨＴＭＬ等の階層構造を記述できる言語により作成されている。
【０００３】
ところで、上記情報に関してユーザにその有効性等を問い合わせるために、表示画面上にアンケートを表示することが行われている。
【０００４】
例えば、下記特許文献１には、ユーザからのフィードバックにより、ユーザの機能選択に基づく商品の検索が実行される商品選択支援システムが開示されている。
【特許文献１】特開２００２−１２３５４７号公報
【発明の開示】
【発明が解決しようとする課題】
【０００５】
しかし、上記従来の技術においては、必ずしもアンケートの使用率が高くなく、信頼性の高い結果を得るのが容易ではないという問題があった。
【０００６】
本発明は、上記従来の課題に鑑みなされたものであり、その目的は、信頼性の高いアンケートを行うためのディレクトリ構造を編集できるディレクトリの階層構造の編集を支援するプログラム、ディレクトリ編集支援方法及びディレクトリ編集支援装置を提供することにある。
【課題を解決するための手段】
【０００７】
上記目的を達成するために、本発明は、コンピュータを、ディレクトリの階層構造の編集を支援するディレクトリ編集支援装置として動作させるプログラムであって、メタデータが設定された既存のディレクトリからメタデータを収集し、前記収集されたメタデータに基づき、ディレクトリの階層構造を生成し、前記生成したディレクトリの階層構造中の任意の位置に、アンケート情報が割り付けられたフィードバック用ディレクトリを生成し、前記収集されたメタデータ及び前記生成したフィードバック用ディレクトリの配置情報に基づき、表示上のレイアウトを決めるレイアウト情報を生成し、前記ディレクトリの階層構造と前記フィードバック用ディレクトリに係る情報と前記レイアウト情報とをユーザのサーバに配信する処理をコンピュータに実行させることを特徴とする。
【０００８】
また、上記プログラムは、前記フィードバック用ディレクトリに割り付けられたアンケートに対する回答のログを生成する処理をコンピュータに実行させるのが好適である。
【０００９】
また、本発明は、コンピュータにより、ディレクトリの階層構造の編集を支援するディレクトリ編集支援方法であって、メタデータが設定された既存のディレクトリからメタデータを収集するステップと、前記収集されたメタデータに基づき、ディレクトリの階層構造を生成するステップと、前記生成したディレクトリの階層構造中の任意の位置に、アンケート情報が割り付けられたフィードバック用ディレクトリを生成するステップと、前記収集されたメタデータ及び前記生成したフィードバック用ディレクトリの配置情報に基づき、表示上のレイアウトを決めるレイアウト情報を生成するステップと、前記ディレクトリの階層構造と前記フィードバック用ディレクトリに係る情報と前記レイアウト情報とをユーザのサーバに配信するステップと、を備えることを特徴とする。
【００１０】
また、本発明は、ディレクトリの階層構造の編集を支援するディレクトリ編集支援装置であって、メタデータが設定された既存のディレクトリからメタデータを収集するメタデータ収集手段と、前記収集されたメタデータに基づき、ディレクトリの階層構造を生成するディレクトリ編集手段と、前記ディレクトリ編集手段が生成したディレクトリの階層構造中の任意の位置に、アンケート情報が割り付けられたフィードバック用ディレクトリを生成するフィードバック用ディレクトリ生成手段と、前記収集されたメタデータ及び前記フィードバック用ディレクトリ生成手段が生成したフィードバック用ディレクトリの配置情報に基づき、表示上のレイアウトを決めるレイアウト情報を生成するレイアウト情報生成手段と、前記ディレクトリ編集手段が生成したディレクトリの階層構造と前記フィードバック用ディレクトリ生成手段が生成したフィードバック用ディレクトリに係る情報と前記レイアウト情報生成手段が生成したレイアウト情報とをユーザのサーバに配信する配信手段と、を備えることを特徴とする。
【発明を実施するための最良の形態】
【００１１】
以下、本発明を実施するための最良の形態（以下、実施形態という）を、図面に従って説明する。
【００１２】
図１には、本発明にかかるディレクトリ編集支援装置の構成のブロック図が示される。図１において、ディレクトリ編集支援装置は、例えばネットワーク１０に接続されたサーバ１２であってよく、またネットワーク１０にはユーザ側端末であるＷＥＢサーバ等のクライアントコンピュータ（以後、クライアントＰＣという）１４が接続されている。ここで、本発明のディレクトリ編集支援装置は、上記ユーザ側のクライアントＰＣ１４等に保持されているディレクトリに後述するメタデータが設定されている場合に、このメタデータを参照して、ディレクトリの階層構造をより適切なものに修正し、編集し直すためのものである。
【００１３】
上述したサーバ１２は、メタデータ収集部１６、ディレクトリ編集部１８、レイアウト情報生成部２０、通信部２２、ログ生成部２４、メタデータ格納部２６及びフィードバックポイント生成部３４を含んでいる。
【００１４】
メタデータ収集部１６は、メタデータが設定された既存のディレクトリからメタデータを収集し、メタデータ格納部２６に格納する処理を実行する。ここで、メタデータには、例えばディレクトリの階層構造に関する配置情報、ディレクトリをＷＥＢページ等に表示するための表示画面上でのレイアウトを決定するレイアウト情報、文書名、文書アドレス、文書に対するコメント、アブストラクト等が含まれる。
【００１５】
ディレクトリ編集部１８は、メタデータ収集部１６が収集しメタデータ格納部２６に格納したメタデータに含まれる配置情報等に基づき、ディレクトリの新たな階層構造を生成する処理を実行する。
【００１６】
フィードバックポイント生成部３４は、ディレクトリ編集部１８が生成したディレクトリの階層構造中の任意の位置に、アンケート情報が割り付けられたフィードバック用ディレクトリを生成する処理を実行する。より具体的には、ディレクトリ編集部１８が生成したディレクトリのうち、アンケートの回答を得たいディレクトリまたは当該ディレクトリに割り付けられた情報をユーザが選択すると、そのディレクトリの上位の階層に上記フィードバック用ディレクトリが配置される。このアンケートは、例えばディレクトリ編集部１８が生成したディレクトリの有用性等に関するものであってよい。ここで、フィードバックポイント生成部３４が、本発明のフィードバック用ディレクトリ生成手段に相当し、フィードバック用ディレクトリの配置情報及びこれに割り付けられたアンケート情報が本発明のフィードバック用ディレクトリに係る情報に相当する。
【００１７】
レイアウト情報生成部２０は、メタデータ収集部１６が収集したメタデータに含まれるレイアウト情報、文書名、及びフィードバックポイント生成部３４が生成したフィードバック用ディレクトリの配置情報等に基づき、表示上のレイアウトを決めるレイアウト情報を生成する処理を実行する。このレイアウト情報生成部２０は、予めＷＥＢページ等のテンプレートを備え、上記メタデータに含まれる文書名、文書に対するコメント、アブストラクト等をそのテンプレートに流し込んで割り付ける構成としてもよい。この場合、上記ディレクトリ編集部１８は、上記配置情報等に基づき、テンプレートに割り付けられた文書名等にリンクを設定して新たな階層構造を生成してもよい。
【００１８】
以上に述べたディレクトリの新たな階層構造及びレイアウト情報は、例えばＨＴＭＬ等の階層構造を記述できる言語により記述されるのが好適である。この記述は、上記ディレクトリ編集部１８及びレイアウト情報生成部２０により実行してもよいし、別に所定のエディタを設けてもよい。
【００１９】
通信部２２は、ディレクトリの新たな階層構造、フィードバックポイント生成部３４が生成したフィードバック用ディレクトリの配置情報及びこれに割り付けられたアンケート情報及びレイアウト情報をネットワーク１０を介してクライアントＰＣ１４に配信する処理を実行する。この通信部２２が、本発明の配信手段として機能する。
【００２０】
ログ生成部２４は、ディレクトリ編集部１８が生成したディレクトリの新たな階層構造及びレイアウト情報生成部２０が生成したレイアウト情報をクライアントＰＣ１４に配信する毎にログを生成する処理を実行する。このログにより、例えばユーザに対する課金等の処理を実行することができる。また、フィードバックポイント生成部３４が生成したフィードバック用ディレクトリに割り付けられたアンケートに対する回答のログを生成する処理も実行する。このログを解析すれば、クライアントＰＣ１４に配信されたディレクトリの新たな階層構造の有用性等を評価することができる。
【００２１】
メタデータ格納部２６は、メタデータ収集部１６が収集したメタデータを格納するものであり、例えばＣＰＵの作業用ＲＡＭ、不揮発性メモリとしてのＥＥＰＲＯＭ、磁気記憶媒体等で構成することができる。
【００２２】
なお、本実施形態に係るディレクトリ編集支援装置は、ＣＰＵを中心として構成されたコンピュータを動作されるプログラムであってよく、この場合、メモリカードその他の媒体に格納された当該プログラムをＣＰＵが実行することで装置の各機能が実現される。
【００２３】
図２には、上述したテンプレートを使用した場合の動作例の説明図が示される。図２では、メタデータ収集部１６がディレクトリに設定されたメタデータを収集し、目次のページを作成する動作が例示されている。
【００２４】
図２において、メタデータ収集部１６が収集したメタデータＡを目次用テンプレート２８に流し込むと、レイアウト情報生成部２０により、メタデータＡの「文書保存編」という文書名が、結果表示３０に示されるように、目次の大分類に割り付けられる。また、メタデータＡの「第１章  保存文書の取扱」以下の文書名は、結果表示３０に示されるように、上記大分類の下方の位置に割り付けられる。この場合、ディレクトリ編集部１８により、「第１章  保存文書の取扱」以下の文書名に、その具体的内容の文書データがリンクされ、新たな階層構造が生成される。
【００２５】
一方、メタデータ収集部１６が収集したメタデータＢを目次用テンプレート２８に流し込むと、レイアウト情報生成部２０により、「１  文書保存」という文書名が、結果表示３２に示されるように、目次の大分類に割り付けられる。この場合、章のタイトルの連番を調整するために、「１  文書保存」が「３  文書保存」とされている。また、メタデータＢの「１−１  保存文書の取扱」以下の文書名は、結果表示３２に示されるように、上記大分類の下方の位置に割り付けられる。この場合、章のタイトルの連番を調整するために、「１−１  保存文書の取扱」が「３−１  保存文書の取扱」とされている。さらに、この場合にも、ディレクトリ編集部１８により、「３−１  保存文書の取扱」以下の文書名に、その具体的内容の文書データがリンクされ、新たな階層構造が生成される。
【００２６】
以上のようにして生成されたディレクトリのレイアウト情報及び階層構造は、通信部２２によりネットワーク１０を介してクライアントＰＣ１４に配信され、クライアントＰＣ１４の表示画面に表示される。
【００２７】
以上に述べたように、本実施形態によれば、ディレクトリの階層構造を修正する場合に、ユーザがＨＴＭＬ等の記述を書き直す必要がないので、ディレクトリの修正の自由度が高く、コストも低くできる。
【００２８】
また、ユーザは、メタデータの管理のみ行えば、ディレクトリの階層構造及び表示上のレイアウトが自動的に生成されるので、ユーザの管理負担を低減できる。
【００２９】
さらに、新たに生成されるディレクトリの階層構造の中の各ディレクトリに対するアクセス権限を設定すれば、テンプレート等により同一の階層構造を使用して、組織、役職等に応じたデータの表示を実現できる。このアクセス権限は、例えばディレクトリ編集部１８が新しく階層構造を生成する際に設定すればよい。あるいは、上記テンプレートに予めアクセス権限に関する情報を設定しておいてもよい。
【００３０】
図３には、フィードバックポイント生成部３４が生成したフィードバック用ディレクトリの例が示される。図３において、ディレクトリ編集部１８が生成したディレクトリの階層構造には、ディレクトリＡ、Ｂ、Ｃが存在していたとする。この場合に、ディレクトリＡ、Ｂ、Ｃのうちのいずれに割り付けられた情報が最も有効（有用）であるかのアンケートをとりたいときに、ユーザがフィードバックポイント生成部３４により、ディレクトリの階層構造中でディレクトリＡ、Ｂ、Ｃの上位階層にフィードバック用ディレクトリ３６を配置する。このフィードバック用ディレクトリ３６に係る情報も、通信部２２によりネットワーク１０を介してクライアントＰＣ１４に配信され、クライアントＰＣ１４の表示画面に表示される。
【００３１】
また、図４には、上記フィードバック用ディレクトリ３６に割り付けられたアンケート依頼文の例が示される。図４において、ディレクトリＡ、Ｂ、Ｃのいずれかが選択され、またはＡ、Ｂ、Ｃ以外のディレクトリが選択されると、その情報がクライアントＰＣ１４からサーバ１２に送られ、ログ生成部２４でアンケートに対する回答のログが生成される。また、ディレクトリの選択の際にユーザがコメントを入力した場合は、コメント送付用の「ｓｕｂｍｉｔ」ボタン３８をマウスでクリックすることにより、コメントがクライアントＰＣ１４からサーバ１２に送られ、ログ生成部２４でアンケートに対する回答のログに加えられる。
【００３２】
以上に述べた本実施形態のディレクトリ編集支援装置によれば、アンケートをとりたいディレクトリ毎に、その直近の位置にフィードバック用ディレクトリ３６を配置できるので、ディレクトリを辿って情報検索を行う場合に、アンケートの回答率を高めることができる。これにより、信頼性の高いアンケートが可能となる。
【図面の簡単な説明】
【００３３】
【図１】本発明にかかるディレクトリ編集支援装置の構成のブロック図である。
【図２】テンプレートを使用した場合のディレクトリ編集支援装置の動作例の説明図である。
【図３】図１に示されたフィードバックポイント生成部が生成したフィードバック用ディレクトリの例を示す図である。
【図４】フィードバック用ディレクトリに割り付けられたアンケート依頼文の例を示す図である。
【符号の説明】
【００３４】
１０  ネットワーク、１２  サーバ、１４  クライアントＰＣ、１６  メタデータ収集部、１８  ディレクトリ編集部、２０  レイアウト情報生成部、２２  通信部、２４  ログ生成部、２６  メタデータ格納部、２８  目次用テンプレート、３０、３２  結果表示、３４  フィードバックポイント生成部、３６  フィードバック用ディレクトリ、３８  「ｓｕｂｍｉｔ」ボタン。
【図１】
2006092236.tif 000003
【図２】
2006092236.tif 000004
【図３】
2006092236.tif 000005
【図４】
2006092236.tif 000006